(57)【要約】【課題】筺体の背面中央部に収納、引き出し自在に配したスタンドを備えたスタンド付き電子機器おいて、スタンドによって卓上に載置する際に安定した状態が得られると共に、美感上も好ましい形状を維持することができるスタンド付き電子機器を提供する。【解決手段】電子機器１０の筺体２０の底辺両端寄りに突起４０が突出・後退機構５０によって突出、後退自在に配され、突出・後退機構５０が連動機構７０によってスタンド３０の収納、引き出し動作に連動されている。そして、スタンド３０の収納状態において一対の突起４０が筐体２０の底辺の面上に突出しないように後退され、スタンド３０の引き出し状態において一対の突起４０が底辺の面上に突出されるように構成した。【選択図】図３
2011210950.tif 000002
【特許請求の範囲】
【請求項１】
筺体の背面中央部に収納、引き出し自在に配したスタンドを備えたスタンド付き電子機器であって、
前記筺体の底辺両端寄りに形成され一対となった開口と、
前記一対の開口に夫々配された突起と、
前記突起を前記底辺面上に突出させ、また、突出した前記突起を前記底辺の面上に突出しない位置に後退させる突出・後退手段と、
前記突出・後退手段を前記スタンドの収納、引き出し動作に連動させて作動させる連動手段とを有し、
前記突出・後退手段は、前記連動手段による前記スタンドの前記筺体への収納、引き出し動作に連動して前記一対の突起を前記開口を介して該筺体の底辺に突出、後退させるように構成したことを特徴とするスタンド付き電子機器。
【請求項２】
前記突出・後退手段は、前記筺体内において上下方向に摺動する摺動体と、該摺動体に取り付けられた前記突起を支持する支持体と、該摺動体を前記開口から突出する方向に偏倚させる弾発力を有する弾性体と、該突起の突出量と後退位置とを規制する規制機構とから構成されていることを特徴とする請求項１に記載のスタンド付き電子機器。
【請求項３】
前記連動手段は、前記摺動体に上下方向に延在して形成された係合溝と、前記スタンドの先端寄りに形成され、該スタンドの収納状態において該係合溝に挿入し該スタンドの引き出し状態において該係合溝から離脱する垂立片と、該係合溝の縁に当設して該摺動体を前記弾性体の弾発力に逆らって摺動させる該垂立片に形成された傾斜面とから構成されていることを特徴とする請求項１に記載のスタンド付き電子機器。
【発明の詳細な説明】
【技術分野】
【０００１】
本発明は、筺体の背面中央部分に収納、引き出し自在に配されたスタンドを備え、スタンドを収納した状態で使用することとスタンドを引き出して卓上に載置した状態で使用することが選択できるスタンド付き電子機器に関し、特に、筐体の底辺中央部分に卓上面に当接する膨出した当接部を設けたスタンド付き電子機器に関するものである。
【背景技術】
【０００２】
近年、ナビゲーション機能、テレビジョン放送受信機能などを備えた電子機器が普及している。この種の電子機器は、車両に搭載されて用いられるだけでなく、卓上に載置して用いられるなど携帯用として広く使用されている。そして、卓上に載置して使用する場合は、表示パネルが見やすくするために電子機器を傾けている。
【０００３】
従来、この種のスタンド付き電子機器としては、例えば図１１、図１２に示すものがある。この電子機器１００は、扁平状で矩形の筺体２００と、筺体２００の背面に設けたスタンド３００とからなり、スタンド３００が筐体２００の中央部分で背面内に収納された状態と引き出された状態を取るようになっている。車両に搭載して使用するときにはスタンド３００を収納して筐体２００を車両に設けたクレードル（図示せず）に取り付ける。これに対し、電子機器１００を卓４００の面に載置するときには、スタンド３００を引き出して筐体２００を傾けて置く。この状態では表示パネル２０１が上方に斜めに向いて位置されている。
【０００４】
電子機器１００は美感の向上のために本体２００の角部分が全体的に丸みを帯びた形状になっている。しかし、筐体２００の底辺中央部には、若干の高さだけ膨出した当接部２０２が設けられ、スタンド３００と協同して電子機器１００を卓４００の面上に安定に載置させるようになっている。即ち、電子機器１００は美感の維持と安定した設置との両方を満たすような構成をとっている。
【０００５】
しかし、電子機器１００が卓４００の面上に載置された状態においては、本体２００の低辺の当接部２０２からは離れた位置では卓４００との間に隙間Ｇが生じる。そのため、電子機器１００は左右の両端部分で、矢印方向Ｘで示す方向に動いてしまい不安定な状態にある。特に、電子機器１００が操作されることによって外力を受けると、電子機器１０は左右の端部分で上下にがたついてしまうという問題点を有する。
【０００６】
そこで、例えば、下記の特許文献（特開２００４−２６６０８７号公報）に示す従来技術をとることが考えられる。この従来技術は、電子機器としての電話機を構成するロアーケースの一辺の両端寄りに一対のゴム足が配されている。そして、電話機はスタンドによって卓上に傾けられて設置されるが、このときにゴム足が電話機を一辺の両端寄りで支持することになる。従って、電話機は左右の端部分で上下方向に変位してしまうという問題点が解消され、操作の際にがたつきを発生することがない。
【先行技術文献】
【特許文献】
【０００７】
【特許文献１】特開２００４−２６６０８７号公報（段落００１２、段落００２６、図５）
【発明の概要】
【発明が解決しようとする課題】
【０００８】
しかしながら、上記特許文献１に示す従来技術においては、ケースの一辺に複数のゴム足が突出して配されているため、美感上好ましくないという問題点があった。特に、携帯型の電子機器においては、見栄えだけでなく手触りの良さも考慮されるので突起の存在が電子機器の価値を損なうという問題点があった。
【０００９】
従って、本発明は、上記の問題点を解消することを課題とし、電子機器をスタンドによって卓上に傾けて載置する際に安定した状態が得られると共に、美感上も好ましい形状を維持することができるスタンド付き電子機器を提供することを目的とするものである。
【課題を解決するための手段】
【００１０】
前記課題を解決するために、本願の請求項１に係るスタンド付き電子機器の発明は、
筺体の背面中央部に収納、引き出し自在に配したスタンドを備えたスタンド付き電子機器であって、
前記筺体の底辺両端寄りに形成され一対となった開口と、
前記一対の開口に夫々配された突起と、
前記突起を前記底辺面上に突出させ、また、突出した前記突起を前記底辺の面上に突出しない位置に後退させる突出・後退手段（例えば下記実施例では、突出・後退機構５０）と、
前記突出・後退手段を前記スタンドの収納、引き出し動作に連動させて作動させる連動手段（例えば下記実施例では、連動機構７０）とを有し、
前記突出・後退手段は、前記連動手段による前記スタンドの前記筺体への収納、引き出し動作に連動して前記一対の突起を前記開口を介して該筺体の底辺に突出、後退させるように構成したことを特徴とする。
【００１１】
また、本願の請求項２に係る発明は、請求項１に係るスタンド付き電子機器において、
前記突出・後退手段は、前記筺体内において上下方向に摺動する摺動体と、該摺動体に取り付けられた前記突起を支持する支持体と、該摺動体を前記開口から突出する方向に偏倚させる弾発力を有する弾性体と、該突起の突出量と後退位置とを規制する規制機構とから構成されていることを特徴とする。
【００１２】
また、本願の請求項３に係る発明は、請求項１に係るスタンド付き電子機器において、
前記連動手段は、前記摺動体に上下方向に延在して形成された係合溝と、前記スタンドの先端寄りに形成され、該スタンドの収納状態において該係合溝に挿入し該スタンドの引き出し状態において該係合溝から離脱する垂立片と、該係合溝の縁に当設して該摺動体を前記弾性体の弾発力に逆らって摺動させる該垂立片に形成された傾斜面とから構成されていることを特徴とする。
【発明の効果】
【００１３】
本発明のスタンド装置は、次に示すような優れた効果を奏する。
【００１４】
即ち、請求項１に係る発明においては、筐体の背面中央部に引き出し自在に配したスタンドを備えスタンド付き電子機器は、筺体の底辺の両端寄りに夫々形成された開口に突起が突出・後退手段によって突出、後退自在に配され、突出・後退手段が連動手段によってスタンドの収納、引き出し動作に連動されている。そして、スタンドの収納状態において一対の突起が開口内に後退され、スタンドの引き出し状態において一対の突起が開口から底辺の面上に突出されるように構成されている。
【００１５】
そのため、スタンドを引き出して卓上に電子機器を載置する際には、電子機器の底辺の両端寄りに突起が突出して卓の面に当接し電子機器を左右の端部分で上下に動いてしまうことを阻止するので、電子機器の安定した載置状態が得られる。また、電子機器はスタンドと一対の突起とで卓の面に接地するので安定した載置状態が得られる。一方、スタンドを収納した状態では、突起が開口内に後退し底辺の面から突出しないので、電子機器の美感を維持することできる。また、電子機器を取り扱う際に突起物がないので手触りに違和感を与えない。
【００１６】
また、請求項２に係る発明においては、摺動体が筐体内において上下方向に摺動し、この摺動体に突起が支持体を介して取り付けられ、突起の突出量と後退位置とが規制機構によって規制され、摺動体が突起を突出する方向に弾性体の弾発力によって偏倚させるように構成されている。その結果、スタンドの引き出し状態においては突起が弾性体の弾発力によって筺体の底辺の面上に突出するようになっている。
【００１７】
そのため、筺体の底辺の面上に突出した突起は、規制機構によってその位置が規制されると共に、その位置が弾性体による弾発力によって維持されるので、突起の突出状態が安定に正確な位置に保持される。従って、電子機器は常に安定した状態で卓上に載置される。
【００１８】
また、請求項３に係る発明においては、摺動体に上下方向に延在して係合溝を形成し、スタンドの先端寄りには、スタンドの収納状態において係合溝に挿入し、スタンドの引き出し状態において係合溝から離脱する垂立片を形成する。そして、垂立片には係合溝の縁に当設して摺動体を弾性体の弾発力に逆らって摺動させる傾斜面を形成して構成されている。
【００１９】
そのため、スタンドの収納状態では垂立片が係合溝から離脱して弾性体の弾発力で摺動
体を偏倚し突起を後退させ、スタンドの引き出し状態では垂立片が係合溝に係合して摺動体を弾発力に逆らって摺動させ突起を後退するので、突起の突出・後退をスタンドの収納、引き出し動作に連動して作動させることができる。その結果、突起の突出、後退の操作が容易に確実に行うことができる。
【図面の簡単な説明】
【００２０】
【図１】本発明の一実施例に係るスタンド付き電子機器を卓上に載置した状態の正面図である。
【図２】図１におけるスタンド付き電子機器を背面側の斜め上から見た斜視図である。
【図３】本発明の一実施例に係るスタンド付き電子機器においてスタンドを引き出した状態で正面パネルを取り除いて示す正面図である。
【図４】図３における突起部分を示すためにＡ−Ａ線で切断した断面図である。
【図５】本発明の一実施例に係るスタンド付き電子機器においてスタンドを収納した状態で正面パネルを取り除いて示す正面図である。
【図６】図５における突起部分を示すためにＢ−Ｂ線で切断した断面図である。
【図７】図３における連動機構を示すためにＣ−Ｃ線で切断した断面図である。
【図８】図５における連動機構を示すためにＤ−Ｄ線で切断した断面図である。
【図９】本発明の一実施例に係るスタンド付き電子機器においてスタンドを引き出した状態で背面側の斜め下から底辺部分を見た斜視図である。
【図１０】本発明の一実施例に係るスタンド付き電子機器においてスタンドを収納した状態で背面側の斜め下から底辺部分を見た斜視図である。
【図１１】従来のスタンド付き電子機器を卓上に載置した状態を示す正面図である。
【図１２】図１１におけるスタンド付き電子機器を背面側の斜め上から見た斜視図である。
【発明を実施するための形態】
【００２１】
以下、本発明の具体例を実施例及び図面を用いて詳細に説明する。但し、以下に示す実施例は、本発明の技術的思想を具体化するためのスタンド付き電子機器を例示するものであって、本発明をこのスタンド付き電子機器に特定することを意図するものでなく、特許請求の範囲に含まれるその他の実施形態のスタンド付き電子機器にも等しく適用し得るものである。
【実施例】
【００２２】
図１は本発明の一実施例に係るスタンド付き電子機器を卓上に載置した状態を示す正面図であり、図２は図１におけるスタンド付き電子機器を背面側の斜め上から見た斜視図である。
【００２３】
本実施例に係るスタンド付き電子機器１０は、図１、図２に示すように、扁平で矩形の形状である筺体２０と、筺体２０の背面中央部分に基部が蝶番（図示せず）によって所定の範囲内で回動自在に支持されて設けられたスタンド３０とからなる。スタンド３０は筺体２０の背面内に収納された状態と背面から回動して引き出された状態を取るようになっている。そして、筺体２０の前面２０１には表示パネル、操作面が配置され、底辺中央部分には若干膨出した形状の当接部２０２が設けられている。また、筺体２０の底辺には、当接部２０２を挟んで端寄りに夫々突起４０が配されている。
【００２４】
図３から図６において突起４０の構成が詳しく示されているが、この一対の突起４０は筺体２０の底辺に形成された開口２０３から突出し、また開口２０３内に後退するようになっている。この突出、後退のための突出・後退手段を形成する突出・後退機構５０は、突起４０を支持する筺体２０内に配された棒状の支持体５０１と、筺体２０内において支持体５０１が取り付けられ上下方向に習動する習動体５０２と、習動体５０２を常に下方に偏倚させる弾発力を有する弾性体５０３とから構成されている。
【００２５】
突起４０は筐体２０の底辺からの突出量と後退位置とが規制機構６０によって規制されている。この規制機構６０は、習動体５０２に形成されたガイド溝６０１と筐体２０に設けられたガイドピン６０２とによって習動体５０２の上下方向の習動範囲が規制された構成と、支持体５０１の下方への移動を制限するストッパー６０３からなっている。ここで、突起４０は底辺からの突出量が規制機構６０によって当接部２０２の突出量に等しくなるように設定されている。
【００２６】
突出・後退機構５０は、図７．図８に詳細を示すように、連結手段を形成する連動機構７０によってスタンド３０に関連付けされ、スタンド３０の収納、引き出し動作に連動して作動するようになっている。この連動機構７０は、習動体５０２に上下方向に延在して形成された一対の係合溝７０１と、スタンド３０の先端寄りにおいて係合溝７０１に対向して設けられた一対の垂立片７０２と、垂立片７０２の先端に形成され係合溝７０１の上縁に当接する傾斜面７０３と、傾斜面７０３に連なる水平面７０４と、垂立片７０２を筐体２０の外部から内部へと挿通させる挿通孔７０５とから構成されている。また、係合溝７０１の上縁には、垂立片７０２の先端に当たって案内する案内用突起７０６が形成されている。
【００２７】
即ち、スタンド３０が引き出されたときには、図９で示すように突起４０がスタンド３０の引き出し動作に連動して筐体２０の底辺における当接部２０２を挟んだ両端寄りに突出して位置され、スタンド３０が収納されたときには、図１０で示すようにスタンド３０の収納動作に連動して筐体２０の底辺の面上に突出しないように後退して位置されるように構成されている。
【００２８】
次に、上述した実施例のスタンド付き電子機器１０の動作についてについて説明する。
まず、電子機器１０を卓４００の面上に載置する際には、図７、図９で示すようにスタンド３０を筐体２０の背面内から引き出し垂立片７０２を係合溝７０１から離脱させる。その結果、連動機構７０における垂立片７０２と係合溝７０１との係合状態が解除される。そして、突出・後退機構５０を構成する摺動体５０２は弾性体５０３の弾発力によって下方に偏倚される。摺動体５０２が下方に偏倚することにより、支持体５０１も下方に偏倚して突起４０を開口２０３から底辺の面上へと突出させる。
【００２９】
突出・後退機構５０によって突出された突起４０は、図３、図４で示すように、その突出量が規制機構６０によって当接部２０２の突出量に等しく突出される。即ち、規制機構６０による突出量の規制は、摺動体５０２がガイド溝６０１とガイドピン６０２とによる下方向への最大移動位置が決められることと、支持体５０１がストッパー６０３による下方向への最大移動位置が規制されることにより達成される。
【００３０】
スタンド３０を引き出し、突起４０を突出させた状態の電子機器１０は卓４００の面上に置くことによりスタンド３０によって正面２０１が傾いた状態で載置される。そして、底辺の当接部２０２と一対の突起４０とが卓４００の面に当たって電子機器１０を支える。即ち、電子機器１０は、図９に示すように載置状態では４箇所で支えられることになる。
【００３１】
スタンド３０を電子機器１０の背面内に収納する動作について説明する。この収納はスタンド３０を背面方向に押し付けるように回動させて行う。このとき、スタンド３０の収納動作に連動して作動する連動機構７０が突出・後退機構５０を作動させて突起４０を筐体２０の底辺の面から突出しない位置に後退させる。この動作の詳細は、スタンド３０に設けた垂立片７０２が挿通孔７０５を介して筐体２０内に挿入され係合溝７０１に係合する。垂立片７０２はその傾斜面７０３が案内用突起７０６に案内されて係合溝７０１の上縁に当接する。そして、スタンド３０が押込まれる動作に従って傾斜面７０３により摺動体５０２を上方に摺動させる。
【００３２】
スタンド３０が背面内に押込まれて収納された状態では、垂立片７０２の水平面７０４が係合溝７０１の縁に当接する。この当接状態は圧縮された弾性体５０３の弾発力によって強固に維持される。従って、スタンド３０は筐体２０の背面内に収納された状態で保持される。
【００３３】
また、摺動体５０２が上方に移動されることにより、支持部５０１は上方に移動されて突起４０を突出状態から後退させる。この後退位置は、突起４０が開口２０３内を後退して底辺の面から突出しない位置となる。この位置は規制機構６０によって規制される。しかも、突起４０の後退状態は前述したスタンド３０の収納状態の保持によって維持される。
【００３４】
従って、上述した本発明の実施例によれば、スタンド付き電子機器１０は、筐体２０の背面中央部に収納、引き出し自在に配されたスタンド３０と筺体２０の底辺中央部分に膨出して設けた当設部２０２とを備えており、更に、筺体２０の底辺の両端寄りに夫々形成された開口２０３に突起４０が突出・後退機構５０によって突出、後退自在に配され、突出・後退機構５０が連動機構７０によってスタンド３０の収納、引き出し動作に連動されている。そして、スタンド３０の収納状態において一対の突起４０が開口２０３内に後退され、スタンド３０の引き出し状態において一対の突起４０が開口２０３から底辺上に突出されるように構成されている。この突出量は規制機構６０によって当設部２０２の膨出した突出量と等しく設定されている。
【００３５】
そのため、スタンド３０を引き出して卓４００の面上に電子機器１０を載置する際には、電子機器１０の底辺の両端寄りに突起４０が突出して卓４００の面に当接し電子機器１０を左右の端部分で上下方向に動いてしまうことを阻止するので、電子機器１０ががたつくことなく載置される。また、電子機器１０はスタンド３０と当設部２０２と一対の突起４０との４箇所で卓４００の面に接地するので安定した載置状態が得られる（図９参照）。一方、スタンド３０を収納した状態では、突起４０が開口２０３内に後退し面上に突出しないので、電子機器１０の美感を損なうことがないだけでなく、電子機器１０を取り扱う際に突起物がないので手触りに違和感を与えない（図１０参照）。
【００３６】
また、突出・後退機構５０は筐体２０内において上下方向に摺動する摺動体５０２を有し、突起４０が摺動体５０２に取り付けられた支持体５０１に支持され、摺動体５０２が突起４０を突出する方向に弾性体５０３によって偏倚させるように構成し、スタンド３０の引き出し状態において突起４０が弾性体５０３の偏倚力によって筺体２０の底辺上に突出させている。
【００３７】
そのため、筺体２０の底辺面上に突出した突起４０は、規制機構６０によってその位置が規制されると共に、その位置が弾性体５０３による弾発力によって維持されるので、突起４０の突出状態が正確な位置に保持される。従って、電子機器１０は常に安定した状態で卓４００の面上に載置される。
【００３８】
また、連動機構７０は、摺動体５０２に上下方向に延在して形成した係合溝７０１と、スタンド３０の先端寄りに垂立して設けた垂立片７０２を備えている。垂立片７０２は、スタンド３０の引き出し状態において係合溝７０１から離脱し、スタンド３０の収納状態において係合溝７０１に挿入してその縁に当設するようになっている。垂立体７０２の当接部分には傾斜面７０３と水平面７０４が連なって形成されている。
【００３９】
そのため、スタンド３０の引き出し状態では垂立片７０２が係合溝７０１から離脱して
弾性体５０３の弾発力で摺動体５０２を偏倚し突起４０を突出させ、スタンド３０の収納状態では垂立片７０２が係合溝７０１に係合して摺動体５０２を弾発力に逆らって摺動させ突起４０を後退するので、突起４０の突出・後退をスタンド３０の収納、引き出し動作に連動させことができる。従って、突起４０の突出、後退はスタンド３０の引き出し収納動作に連動して自動的に行われるので電子機器１０の取り扱いが容易となる。また、スタンド３０の収納状態と突起４０の後退状態は水平面７０４が係合溝７０１に弾性的に当接しているので、この状態が確実に保持される。
【００４０】
なお、上記実施例においては、突起４０の突出量は規制機構６０によって当接部２０２の突出量に等しく設定したが、本発明はこれに限定されることなく突起４０の突出量が筐体２０の端寄りで上下方向に実質的にがたつきを生じない程度に当接部２０２の突出量にほぼ等しく設定したものであってもよい。
【符号の説明】
【００４１】
１０・・・・スタンド付き電子機器
２０・・・・筐体
３０・・・・スタンド
４０・・・・突起
５０・・・・突出・後退機構
６０・・・・規制機構
７０・・・・連動機構
２０１・・・前面
２０２・・・当接部
２０３・・・開口
４００・・・卓
５０１・・・支持体
５０２・・・摺動体
５０３・・・弾性体
６０１・・・ガイド溝
６０２・・・ガイドピン
６０３・・・ストッパー
７０１・・・係合溝
７０２・・・垂立片
７０３・・・傾斜面
７０４・・・水平面
７０５・・・挿通孔
７０６・・・案内用突起
【図１】
2011210950.tif 000003
【図２】
2011210950.tif 000004
【図３】
2011210950.tif 000005
【図４】
2011210950.tif 000006
【図５】
2011210950.tif 000007
【図６】
2011210950.tif 000008
【図７】
2011210950.tif 000009
【図８】
2011210950.tif 000010
【図９】
2011210950.tif 000011
【図１０】
2011210950.tif 000012
【図１１】
2011210950.tif 000013
【図１２】
2011210950.tif 000014